(57)【要約】【課題】延長管の受電ピンの間隔と吸込口体の受電ピンの間隔とが異なる場合でも、吸込口体を延長管又は握り管に確実に接続することのできる電気掃除機を提供すること。【解決手段】ホース５の握り管１０及び延長管２０の吸込側に同形状の第１の給電コネクタ、及び２つの接続片を有する第２の給電コネクタをそれぞれ設けると共に、延長管２０の本体側に第１の給電コネクタと、第２の給電コネクタの何れか一方の接続片に対応して一対の受電ピンを設け、これら受電ピンを第１，第２の給電コネクタにそれぞれ電気的に接続したものである。【選択図】　　　　図５
2004113540.tif 000002
【特許請求の範囲】
【請求項１】
電気送風機、この電動送風機に連通する集塵室等を内蔵した掃除機本体と、一端に前記掃除機本体に設けた吸込口に着脱自在に接続される接続管を有し他端に握り管が設けられたホースと、前記握り管に着脱自在に接続される延長管と、電動機、この電動機に駆動される回転ブラシ等を有し前記握り管又は延長管に着脱自在に接続される吸込口体とを備え、
前記握り管及び延長管の吸込側に同形状の第１の給電コネクタ、及び２つの接続片を有する第２の給電コネクタをそれぞれ設けると共に、前記延長管の本体側に前記第１の給電コネクタと、前記第２の給電コネクタの何れか一方の接続片とに対応して一対の受電ピンを設け、これら受電ピンを前記第１，第２の給電コネクタにそれぞれ電気的に接続したことを特徴とする電気掃除機。
【請求項２】
前記吸込口体の本体側に、前記握り部又は延長管に設けた第１の給電コネクタと、第２の給電コネクタの一方の接続片又は他方の接続片とに対応して一対の受電ピンを設け、これら受電ピンを前記電動機の駆動回路に電気的に接続したことを特徴とする請求項１記載の電気掃除機。
【請求項３】
前記握り管又は延長管を設けた第２の給電コネクタの２つの接続片のいずれか一方に抵抗体を接続したことを特徴とする請求項１又は２記載の電気掃除機。
【発明の詳細な説明】
【０００１】
【発明の属する技術分野】
本発明は、電動機で駆動される回転ブラシを備えた吸込口体を、ホース及び延長管を介して掃除機本体に接続し、床面等の塵埃を吸引して掃除する電気掃除機に係り、さらに詳しくは、ホースに設けた握り部、延長管及び吸込口体の接続部の構造に関するものである。
【０００２】
【従来の技術】
従来の電気掃除機において、電動送風機等を内蔵した掃除機本体に、ホース及び延長管を介して電動機で駆動される回転ブラシを備えた吸込口体を接続し、この回転ブラシによりカーペットなどから塵埃を掻き出しつつ吸込んで、延長管及びホースを介して掃除機本体の集塵室へ導くようにしたものが知られている。
【０００３】
この種電気掃除機において、掃除機本体から吸込口体の電動機に給電するために、ホースと延長管に給電用のコードをそれぞれ内装し、ホースの握り管の接続部と延長管の吸込側接続部、延長管の本体側接続部と吸込口体の接続部とをそれぞれ同一形状にすると共に、コードを中継するコネクターは、握り管のコネクターと延長管の吸込側接続部のコネクター、延長管の本体側接続部のコネクターと吸込口体のコネクターをそれぞれ同一形状にして、ホースに１又は２本の延長管を介して吸込口体を接続し、又はホースに直接吸込口体を接続しての使用を可能にしたものがある（例えば、特許文献１参照）。
【０００４】
【特許文献１】
特公平５−５０９３６号公報（第３頁−第６頁、第１図−第７図）
【０００５】
【発明が解決しようとする課題】
上述の従来の電気掃除機においては、吸込口体のコネクターの接続部である一対の受電ピンの間隔が延長管の本体側接続部のコネクター、すなわち、延長管の一対の受電ピンの間隔と異なる場合は、吸込口体と延長管や握り管との接続ができないという問題があり、また、吸込口体の電動機への給電を変更する場合は、掃除機本体側からの供給電源回路によって行うしかない等の問題があった。
【０００６】
本発明は、上記の課題を解決するためになされたもので、延長管の受電ピンの間隔と吸込口体の受電ピンの間隔とが異なる場合でも、吸込口体を延長管又は握り管に確実に接続することのできる電気掃除機を提供することを目的としたものである。
また、本発明は、吸込口体を直接又は延長管を介して握り管に接続することにより、吸込口体内の電動機に供給する電源を容易に変えることのできる電気掃除機を提供することを目的としたものである。
【０００７】
【課題を解決するための手段】
本発明に係る電気掃除機は、電気送風機、この電動送風機に連通する集塵室等を内蔵した掃除機本体と、一端に前記掃除機本体に設けた吸込口に着脱自在に接続される接続管を有し他端に握り管が設けられたホースと、前記握り管に着脱自在に接続される延長管と、電動機、この電動機に駆動される回転ブラシ等を有し前記握り管又は延長管に着脱自在に接続される吸込口体とを備え、前記握り管及び延長管の吸込側に同形状の第１の給電コネクタ、及び２つの接続片を有する第２の給電コネクタをそれぞれ設けると共に、前記延長管の本体側に前記第１の給電コネクタと、前記第２の給電コネクタの何れか一方の接続片とに対応して一対の受電ピンを設け、これら受電ピンを前記第１，第２の給電コネクタにそれぞれ電気的に接続したものである。
【０００８】
【発明の実施の形態】
［実施の形態１］
図１は本発明の実施の形態１に係る電気掃除機の全体構成を示す説明図である。
電気掃除機の本体１（以下、掃除機本体という）の内部には、電動送風機、この電動送風機に連通する集塵室（共に図示せず）等が設けられており、掃除機本体１の前面には、集塵室に臨む吸込口２が設けられている。３は掃除機本体１の両側に設けた車輪、４は電源コードである。５はホース、２０は延長管、４０は吸込口体である。
【０００９】
ホース５は、屈曲自在な蛇腹状のホース体６と、ホース体６の一端に設けられ、掃除機本体１の吸込口２に接続される接続管７と、ホース体６の他端に設けられた握り管１０とからなっている。
この握り管１０は、図２に示すように、円筒状でほぼヘ字状に形成され、一端に大径のホース接続部１２が設けられ、他端に延長管２０が接続される接続口１３（図１参照）が形成された主管部１１と、接続口１３側から斜め上方に設けられた握り部１４とからなり、主管部１１の上部の軸方向にはコード通路１５が設けられている（図３（ｂ）参照）。１６は握り部１４に設けた電源スイッチである。
【００１０】
そして、コード通路１５の接続口１３側には、接続片３３ａを有する第１の給電コネクタ３１と、二股に分れた接続片３３ｂ，３３ｃが隔壁１７の両側に配置された第２の給電コネクタ３２とが設けられており、第１，第２の給電コネクタ３１，３２は、コード通路１５内に設けられたコード３４ａ，３４ｂに接続され、電源スイッチ１６を経て掃除機本体１内に設けた制御回路及び電源回路（共に図示せず）にそれぞれ接続される。
【００１１】
ここで、第１の給電コネクタ３１の接続片３３ａと、第２の給電コネクタ３２の接続片３３ｂとの間隔寸法（以下、単に間隔という）をＡ、第１の給電コネクタ３１の接続片３３ａと、第２の給電コネクタ３２の接続片３３ｃとの間隔をＢとする。また、以下の説明では、掃除機本体１側を本体側、吸込口体４０側を吸込側という。
コード通路１５の吸込側の開口部にはこの開口部を閉塞する蓋板１８が設けられており、第１の給電コネクタ３１の接続片３３ａ、第２の給電コネクタ３２の接続片３３ａ，３３ｃに対応して、後述の受電ピンが挿通される挿通孔１９ａ，１９ｂ，１９ｃがそれぞれ設けられている。
【００１２】
図３は延長管２０の一部断面図で、円筒状の主管２１の本体側には接続部２１ａが設けられており、また、軸方向には接続部２１ａの近傍までコード通路２２が設けられている。このコード通路２２の吸込側には、握り部１０の場合と同一形状、同一寸法の接続片３３ａを有する第１の給電コネクタ３１と、接続片３３ｂ，３３ｃを有する第２の給電コネクタ３２とが設けられており、第１，第２の給電コネクタ３１，３２にはそれぞれコード３４ａ，３４ｂの一端が接続されている。
【００１３】
コード通路２２の接続部２１ａ側の開口部には、２本の受電ピン３５ａ，３５ｂを有する蓋板２３が取付けられており、受電ピン３５ａ，３５ｂは接続部２１ａの外側に突出し、かつ露出して設けられ、コード３４ａ，３４ｂの他端が接続されている。この受電ピン３５ａ，３５ｂの間隔は、第１の給電コネクタ３１の接続片３３ａと第２の給電コネクタ３２の接続片３ｃの間隔Ｂと等しく設定されている。なお、この受電ピン３５ａ，３５ｂの間隔は、第１の給電コネクタ３１の接続片３３ａと第２の給電コネクタ３２の接続片３３ｂとの間隔Ａと等しくしてもよい。また、コード通路２２の吸込側の開口部には蓋板２４が設けられており、この蓋板２４には第１の給電コネクタ３１の接続片３３ａ及び第２の給電コネクタ３２の接続片３３ｂ，３３ｃに対応して、それぞれ受電ピンの挿通孔２５ａ，２５ｂ，２５ｃが設けられている。
【００１４】
図４は吸込口体４０の説明図で、下面に設けられた吸込口４１には回転ブラシ４２が回転自在に配設されており、吸込口体４０内に設けた電動機４３によりベルト４４を介して駆動される。４５は吸込口体４０内に設置され、電動機４３に給電する給電回路等が設けられたプリント基板である。また、吸込口体４０には吸込口４１と連通する回転管４６が回転自在に設けられており、その先端部に設けられて握り管１０又は延長管２０に接続される接続部４７の下部には、前記Ａ又はＢの間隔で２本の受電ピン４８ａ，４８ｂが露出して取付けられている。そして、この給電ピン４８ａ，４８ｂは回転管４６内に内蔵されたコード４９により、プリント基板４５に接続されている。
【００１５】
次に、本実施の形態の作用を、主として図５、図６の模式図を用いて説明する。
握り管１０に延長管２０を接続する場合は、延長管２０の受電ピン３５ａ，３５ｂの間隔がＢなので、その接続部２１ａを握り管１０の接続口１３（図１参照）に挿入すると共に、握り管１０の蓋板１８に設けた間隔Ｂの挿通孔１９ａ，１９ｃに受電ピン３５ａ，３５ｂを挿通し、第１の給電コネクタ３１の接続片３３ａに給電ピン３５ａを、第２の給電コネクタ３２の接続片３３ｃに受電ピン３５ｂをそれぞれ接続させることにより、握り管１０と延長管２０を機械的、電気的に確実に接続することができる。複数の延長管２０を連結する場合も、上記に準じて接続することができる。
【００１６】
また、吸込口体４０を延長管２０に接続する場合は、図５の状態では、吸込口体４０に設けた受電ピン４８ａ，４８ｂの間隔がＡなので、その接続部４７を延長管２０の主管２１の吸込側の開口部に挿入すると共に、延長管２０の蓋板２４に設けた間隔Ａの挿通孔２５ａ，２５ｂに受電ピン４８ａ，４８ｂを挿通し、第１の給電コネクタ３１の接続片３３ａに受電ピン４８ａを、第２の給電コネクタ３２の接続片３３ｂに受電ピン４８ｂをそれぞれ接続させることにより、吸込口体４０を延長管２０に機械的、電気的に確実に接続することができる。
【００１７】
吸込口体４０の受電ピン４８ａ，４８ｂの間隔がＢの場合は、延長管２０の蓋板２４に設けた間隔Ｂの挿通孔２５ａ，２５ｃに受電ピン４８ａ，４８ｂを挿通し、第１の給電コネクタ３１の接続片３３ａと、第２の給電コネクタ３２の接続片３３ｃとにそれぞれ接続させればよい。
【００１８】
次に、握り管１０に直接吸込口体４０を接続する場合について、図６を用いて説明する。図６では、吸込口体４０の受電ピン４８ａ，４８ｂの間隔がＡなので、その接続部４７を握り管１０の接続口１３に挿入すると共に、握り管１０の蓋板１８に設けた間隔Ａの挿通孔１９ａ，１９ｂに受電ピン４８ａ，４８ｂを挿通し、第１の給電コネクタ３１の接続片３３ａに給電ピン４８ａを、第２の給電コネクタ３２の接続片３３ｂに受電ピン４８ｂをそれぞれ接続させることにより、握り管１０と吸込口体４０を機械的、電気的に確実に接続することができる。
【００１９】
接続口体４０の受電ピン４８ａ，４８ｂの間隔がＢの場合は、握り管１０の蓋板２４に設けた間隔Ｂの挿通孔２５ａ，２５ｃに受電ピン４８ａ，４８ｂを挿通し、第１給電コネクタ３１の接続片３３ａと、第２の給電コネクタ３２の接続片３３ｃにそれぞれ接続させればよい。
【００２０】
上記のように構成した本実施の形態によれば、吸込口体４０の受電ピン４８ａ，４８ｂの間隔がＡ又はＢのいずれの場合であっても、延長管２０又は握り管１０に機械的、電気的に確実に接続することができる。
また、例えば、吸込口体４０に設けた回転ブラシ４２を駆動する電動機４３の仕様が、交流１００Ｖの場合は受電ピン４８ａ，４８ｂの間隔をＢ、仕様が直流２４Ｖの場合は受電ピン４８ａ，４８ｂの間隔をＡとするなど、電動機の仕様に応じて吸込口体４０の受電ピン４８ａ，４８ｂの間隔を設定することができ、また、これにより電動機４３の仕様などを一目で見わけることができる。
【００２１】
［実施の形態２］
本実施の形態は、図７に示すように、第１の給電コネクタ３１の接続片３３ａとの間隔がＡである第２の給電コネクタ３２の接続片３３ｂと、コード３４ｂとの接続部の間に抵抗体３６を接続したものである。
これにより、吸込口体４０の受電ピン４８ａ，４８ｂの間隔がＡの場合とＢの場合とにより、電動機４３に給電する電圧を変えることができる。
【００２２】
本実施の形態においては、受電ピン４８ａ，４８ｂの間隔がＡとＢの吸込口体１０をそれぞれ１個設け、カーペット等の掃除を行う場合は、受電ピン４８ａ，４８ｂの間隔がＢの吸込口体４０を延長管２０に接続し、回転ブラシ４２に強力な回転力を与えて塵埃等を吸引させ、家具等の掃除を行う場合は、受電ピン４８ａ，４８ｂの間隔がＡの吸込口体４０を握り管１０に接続し、低い電圧を電動機４３に印加して回転ブラシ４２を低速回転させるようにしたので、使用場所によって使い分けすることができ、便利である。
【００２３】
上記の説明では、第１の給電コネクタ３１の接続片３３ａとの間隔がＡである第２の給電コネクタ３２の接続片３３ｂに抵抗体３６を接続した場合を示したが、間隔がＢである第２の給電コネクタ３２の接続片３３ｃに抵抗体３６を接続してもよい。
また、握り部１０の第２の給電コネクタ３２の接続片３３ｂ又は３３ｃに抵抗体を接続した場合を示したが、延長管２０の第２の給電コネクタ３２の接続片３３ｂ又は３３ｃにも抵抗体３６を接続してもよい。
【００２４】
【発明の効果】
本発明に係る電気掃除機は、ホースに設けた握り管及び延長管の吸込側に同形状の第１の給電コネクタ、及び２つの接続片を有する第２の給電コネクタを設けると共に、延長管の本体側に第１の給電コネクタと、第２の給電コネクタの何れか一方の接続片とに対応して一対の受電ピンを設け、これら受電ピンを第１，第２の給電コネクタにそれぞれ電気的に接続するようにしたので、延長管の受電ピンの間隔と吸込口体の受電ピンの間隔とが異なる場合でも、吸込口体を握り管又は延長管に確実に接続することができる。
【図面の簡単な説明】
【図１】本発明の実施の形態１に係る電気掃除機の全体構成を示す説明図である。
【図２】一部を断面で示した図１の握り管の説明図である。
【図３】一部を断面で示した図１の延長管の説明図及び側面図である。
【図４】一部を断面で示した図１の吸込口体の説明図である。
【図５】実施の形態１の作用説明図である。
【図６】実施の形態１の作用説明図である。
【図７】本発明の実施の形態２に係る電気掃除機の一部を断面で示した握り管の説明図である。
【符号の説明】
１　掃除機本体、２　吸込口、５　ホース、１０　握り管、１３　接続口、１５，２２　コード通路、２０　延長管、３１　第１の給電コネクタ、３２　第２の給電コネクタ、３３ａ，３３ｂ，３３ｃ　接続片、３４ａ，３４ｂ　コード、３５ａ，３５ｂ，４８ａ，４８ｂ　受電ピン、３６　抵抗体、４０　吸込口体、４２　回転ブラシ、４３　電動機。
【図１】
2004113540.tif 000003
【図２】
2004113540.tif 000004
【図３】
2004113540.tif 000005
【図４】
2004113540.tif 000006
【図５】
2004113540.tif 000007
【図６】
2004113540.tif 000008
【図７】
2004113540.tif 000009